(57)【特許請求の範囲】
【請求項１】
箱状の筐体と、
前記筐体内に収容され、照明負荷の調光を行う調光回路を構成する複数の回路素子と、
前記筐体内に収容され前記回路素子にて発生された熱を放熱する放熱板と、
を備え、複数連接されるとともに壁面に凹設された収容穴に後部が収容される調光器であって、
前記放熱板は、前記筐体の前面と平行に配置される板状の第１放熱片と、該第１放熱片における前記調光器の連接方向と直交し且つ前記筐体の前面と平行な方向の両端部からそれぞれ後方に向かって延びる第２放熱片及び第３放熱片とから構成され、
前記筐体は、該筐体の内部に収容された前記放熱板の前記第２放熱片が上側且つ前記第３放熱片が下側となるように配置され、
前記調光回路は、前記照明負荷の調光を行うべく前記照明負荷への供給電力を制御するトライアックを備え、該トライアックは、前記第３放熱片における前記第２放熱片の対向面と反対側となる下面に配置固定されたことを特徴とする調光器。
【請求項２】
請求項１に記載の調光器において、
前記筐体は、前方側に開口した直方体の箱状をなすボディと、該ボディの開口部に固定されたカバーとから構成されるとともに、前記ボディは、該ボディの前後方向に延びる４つの辺に、該ボディの側壁に対して傾斜した傾斜部を有することを特徴とする調光器。
【請求項３】
請求項１又は請求項２に記載の調光器において、
前記調光回路は、前記筐体内に収容された板状のプリント基板にその軸方向が前記プリント基板と直交するように実装され前記調光回路における雑音を除去する円環状のコイルと、一対の端子を介して前記プリント基板に接続され前記コイルの異常温度に対応して設定された所定の動作温度にて断線して前記調光回路への給電を停止させる温度ヒューズとを備え、前記温度ヒューズは、前記端子がＬ字状に屈曲された形状をなすことにより前記コイルの径方向の中央部を覆うとともに前記コイルに当接して配置されたことを特徴とする調光器。
【発明の詳細な説明】
【技術分野】
【０００１】
本発明は、照明負荷の調光を行う調光器に関するものである。
【背景技術】
【０００２】
従来、商用電源のような交流電源と照明負荷との間に介在されて照明負荷の調光を行う調光器としては、例えば特許文献１に記載されたものがある。この調光器は、略直方体の箱状をなす筐体の内部に、照明負荷の調光を行う調光回路を構成する複数の回路素子を備えた回路ブロックを収容して構成されている。筐体は、その上下方向の長さに比べて左右方向の幅が狭く形成されるとともに、左右方向の幅に比べて前後方向の長さが長く形成されている。また、回路素子の中には、トライアック等、動作時に発熱するものも含まるため、回路ブロックは、回路素子にて発生された熱を放熱するための放熱板を供えている。金属製の放熱板は、筐体の幅方向の両側の側壁に沿って配置される一対の側片と、これら側片の後端を連結するとともに筐体の背面と平行に配置される固定片とから構成され、略Ｕ字状をなしている。そして、この調光器は、埋込型の配線器具用の取付枠に対しその幅方向（左右方向）に最大３個まで連接して固定されることが可能である。
【特許文献１】特開平１１−１６６８４号公報
【発明の開示】
【発明が解決しようとする課題】
【０００３】
しかしながら、複数の調光器がその幅方向に連接された場合、隣り合う調光器においては、放熱板の側片が沿うように設けられた側壁同士が互いに密接される。そのため、放熱板において幅方向の両側の側壁に沿って配置された側片からの放熱効果が十分に得られず、各調光器の温度が上昇する虞があるとともに、調光器の温度上昇は、該調光器の動作不良を招く一因となる。そのため、従来は、複数の調光器を連接させた場合には、調光器の温度上昇に起因する該調光器の動作不良を防止すべく、調光器に接続する照明負荷の数を制限していた。
【０００４】
本発明は、こうした実情に鑑みてなされたものであって、その目的は、連接された場合であっても効果的に放熱することができる調光器を提供することにある。
【課題を解決するための手段】
【０００５】
上記課題を解決するため、請求項１に記載の発明は、箱状の筐体と、前記筐体内に収容され、照明負荷の調光を行う調光回路を構成する複数の回路素子と、前記筐体内に収容され前記回路素子にて発生された熱を放熱する放熱板と、を備え、複数連接されるとともに壁面に凹設された収容穴に後部が収容される調光器であって、前記放熱板は、前記筐体の前面と平行に配置される板状の第１放熱片と、該第１放熱片における前記調光器の連接方向と直交し且つ前記筐体の前面と平行な方向の両端部からそれぞれ後方に向かって延びる第２放熱片及び第３放熱片とから構成されたことをその要旨としている。
【０００６】
同構成によれば、放熱板を構成する第２放熱片及び第３放熱片は、第１放熱片における調光器の連接方向と直交し且つ筐体の前面と平行な方向の両端部からそれぞれ後方に向かって延びている。そのため、調光器が複数連接された場合において、第２放熱片及び第３放熱片は、筐体における連接方向の両側の側壁に沿って配置されるのではなく、筐体における連接方向の両側の側壁間に設けられた側壁に沿うように配置される。従って、隣り合う調光器によって、第２及び第３放熱片からの放熱が妨げられることが抑制される。また、放熱板は、筐体の前面と平行に配置される第１放熱片と、該第１放熱片から後方へ向かって延びる第２放熱片及び第３放熱片とから構成されているため、第１放熱片は、筐体の前面により近い位置に配置される。更に、筐体の前面、即ち調光器の前面は、調光器が配設される壁の外部に露出される。従って、回路素子にて発生された熱を第１放熱片から壁の外部に効率よく放熱することができる。これらのことから、調光器が連接された場合であっても効果的に放熱することができる。尚、本発明において、「連接方向」とは、複数の調光器が連接された場合にこれら調光器が並ぶ方向である。そして、調光器が１個のみで用いられる場合には、「連接方向」は、該調光器を複数連接することを想定した場合に、その他の調光器とともに該調光器が並べられる方向を意味する。
【０００７】
また、請求項１に記載の調光器においては、前記筐体は、該筐体の内部に収容された前記放熱板の前記第２放熱片が上側且つ前記第３放熱片が下側となるように配置され、前記調光回路は、前記照明負荷の調光を行うべく前記照明負荷への供給電力を制御するトライアックを備え、該トライアックは、前記第３放熱片における前記第２放熱片の対向面と反対側となる下面に配置固定されたことをその要旨としている。
【０００８】
同構成によれば、調光器は、第２放熱片が上側、且つ第３放熱片が下側となるように配置されるとともに、動作時に発熱するトライアックは、下方に配置される第３放熱片の下面に配置固定されている。一般的に、トライアックにて発生された熱は、自然対流により上方へ伝達される。従って、トライアックにて発生された熱は、該トライアックが固定された第３放熱片から放熱されるとともに、第３放熱片よりも上方に配置された第１放熱片及び第２放熱片からも放熱される。よって、放熱板からより効果的に放熱することができる。また、トライアックは、第３放熱片の下面上に配置されるため、トライアックにて生じた熱が放熱板の内側に籠ることが抑制されるとともに、トライアックを放熱板に固定する際、放熱板の外側から容易に螺子止めを行うことができる。
【０００９】
請求項２に記載の発明は、請求項１に記載の調光器において、前記筐体は、前方側に開口した直方体の箱状をなすボディと、該ボディの開口部に固定されたカバーとから構成されるとともに、前記ボディは、該ボディの前後方向に延びる４つの辺に、該ボディの側壁に対して傾斜した傾斜部を有することをその要旨としている。
【００１０】
同構成によれば、ボディに傾斜部が設けられることにより、調光器が連接された場合に隣り合う調光器の筐体同士が互いに当接する面積が小さくなるため、隣り合う調光器において一方の調光器が他方の調光器に熱影響を及ぼすことを抑制することができる。また、ボディに傾斜部が設けられることにより、筐体の表面において、隣り合う調光器の筐体と当接しない部位の面積が大きくなるため、筐体の外部の空気に直接触れる面積が大きくなり、更に効果的に放熱することができる。また、一般的に、収容穴が壁面を掘削して形成される場合、該収容穴を完全な直方体状とすることが困難である。従って、ボディの４つの辺に傾斜部が設けられることにより、収容穴の形状が完全な直方体状でない場合であっても、調光器の後部を容易に収容穴の内部に収容することができる。更に、ボディが傾斜部を備えることにより、調光器と照明負荷とを接続するための電線が、収容穴の内部でボディの前後方向に延びる辺によって急激に屈曲されることが抑制されるとともに、傾斜部と収容穴の内周面との間に空間的な余裕が形成されるため、当該電線の取り回しを容易に行うことができる。
【００１１】
請求項３に記載の発明は、請求項１又は請求項２に記載の調光器において、前記調光回路は、前記筐体内に収容された板状のプリント基板にその軸方向が前記プリント基板と直交するように実装され前記調光回路における雑音を除去する円環状のコイルと、一対の端子を介して前記プリント基板に接続され前記コイルの異常温度に対応して設定された所定の動作温度にて断線して前記調光回路への給電を停止させる温度ヒューズとを備え、前記温度ヒューズは、前記端子がＬ字状に屈曲された形状をなすことにより前記コイルの径方向の中央部を覆うとともに前記コイルに当接して配置されたことをその要旨としている。
【００１２】
同構成によれば、コイルの異常温度を検出して温度ヒューズが断線するため、調光器がコイルの異常温度よりも高温となることが防止される。また、温度ヒューズの端子がＬ字状に屈曲された形状をなすため、温度ヒューズをコイルの径方向の中央部に密着させて配置することができる。そして、一般的に、コイル５５は、径方向の中央部が高温となりやすいため、コイルの異常温度の検出精度を向上させることができる。
【発明の効果】
【００１３】
本発明によれば、連接された場合であっても効果的に放熱可能な調光器を提供することができる。
【発明を実施するための最良の形態】
【００１４】
以下、本発明を具体化した一実施形態を図面に従って説明する。
図１及び図２に示すように、３個の調光器１は、埋込型の配線器具用の取付枠２に固定されるとともに、その幅方向（短手方向であって図１及び図２においては左右方向に同じ）に連接されている。略長方形の板状をなす取付枠２は、その中央部に開口窓２ａが形成されるとともに、この開口窓２ａから３個の調光器１の前面が露出している。そして、この取付枠２は、壁４に凹設された直方体状の収容穴５の内部に調光器１の後部を収容した状態で該収容穴５の開口部の周縁部に固定される。尚、この収容穴５は、壁４の壁面４ａを直接掘削して形成されるものであってもよいし、壁４の裏面に固定される箱状の施工ボックス（図示略）にて構成されるものであってもよい。また、前記取付枠２の前面には、長方形の板状をなし中央部に長方形の露出孔３ａが形成された化粧プレート３が取着されるとともに、３個の調光器１の前面が露出孔３ａから露出される。
【００１５】
図３に示すように、各調光器１を構成する箱状の筐体１１は、熱硬化性樹合成脂材料よりなるとともに、後方側に配置されるボディ１２と、該ボディ１２の前端に固定されるカバー１３とから構成されている。
【００１６】
ボディ１２は、前方側が開口した略直方体の箱状をなすとともに、その上下方向の幅に比べて左右方向の幅が短く形成されている。そして、ボディ１２の幅方向（短手方向）の両側の２つの側壁２１ａ，２１ｂの前端には、各側壁２１ａ，２１ｂの上下方向の中央部よりもやや下方となる位置に、四角形の板状をなす係合凸部２２，２３が前方側に向かって突出形成されている。また、ボディ１２の上側と下側の２つの側壁２１ｃ，２１ｄには、前方寄りの部位に長方形状の係合孔２４，２５がそれぞれ形成されている。
【００１７】
また、ボディ１２において該ボディ１２の前後方向に延びる４つの辺に該当する部位には、当該４つの辺に面取りを施したような形状をなすボディ側傾斜部２６がそれぞれ設けられている。各ボディ側傾斜部２６は、４つの側壁２１ａ〜２１ｄのうち、各ボディ側傾斜部２６の両側にある２つの側壁に対してそれぞれ所定角度だけ傾斜しており、本実施形態では、所定角度は４５°に設定されている。
【００１８】
各ボディ側傾斜部２６は、第１傾斜部２６ａと、該第１傾斜部２６ａよりもボディ１２の内側となる位置に設けられた第２傾斜部２６ｂとから構成されている。ボディ１２の上側の側壁２１ｃの幅方向の両側に設けられた２つのボディ側傾斜部２６においては、ボディ１２の前後方向の中央部よりもボディ１２の開口部側となる領域に第１傾斜部２６ａが設けられるとともに、ボディ１２の前後方向の中央部よりも該ボディ１２の底部２７側となる領域に第２傾斜部２６ｂが設けられている。また、側壁２１ｄの幅方向の両側に設けられた２つのボディ側傾斜部２６においては、第２傾斜部２６ｂにおけるボディ１２の前後方向と直交する方向の幅が、第１傾斜部２６ａにおけるボディ１２の前後方向と直交する方向の幅よりも広く形成されている。一方、ボディ１２の下側の側壁２１ｄの幅方向の両側に設けられた２つのボディ側傾斜部２６においては、図５（ｂ）に示すように、ボディ１２の開口端から底部２７まで延びるように第１傾斜部２６ａが設けられるとともに、これらボディ側傾斜部２６における後方側（底部２７側）の領域に部分的に第２傾斜部２６ｂが設けられている。
【００１９】
また、図５（ａ）に示すように、ボディ１２の底部２７における下方の部位には、部分的に前方側に突出された上げ底部２７ａが形成されるとともに、該上げ底部２７ａには、ボディ１２の幅方向に並ぶ一対の電線挿入孔２８が形成されている。更に、図５（ｂ）に示すように、ボディ１２の下側の側壁２１ｄには、後方寄りの部位に、長方形状をなす螺子挿入孔２９が形成されている。
【００２０】
図３に示すように、前記カバー１３は、後方側が開口した略直方体の箱状をなすとともに、ボディ１２と同様に、その上下方向の幅に比べて左右方向の幅が短く形成されている。そして、カバー１３の幅方向（短手方向）の両側の側壁３１ａ，３１ｂの後方側の先端部には、各側壁３１ａ，３１ｂの上下方向の中央部よりもやや下方となる位置に、前記係合凸部２２，２３が係合される係合凹部３２，３３がそれぞれ形成されている。各係合凹部３２，３３は、係合凸部２２，２３に応じて矩形状に凹設されている。また、カバー１３の上側と下側の２つの側壁３１ｃ，３１ｄには、その幅方向の中央部から後方側に向かって延びる係合爪３４，３５がそれぞれ形成されている（係合爪３５については図５（ｂ）参照）。上側の側壁３１ｃに形成された係合爪３４の先端部には、上方に突出し前記係合孔２４に係合される係合突起３４ａが形成されるとともに、下側の側壁３１ｄに形成された係合爪３５の先端部には、下方に突出し前記係合孔２５に係合される係合突起３５ａが形成されている（図５（ｂ）参照）。更に、カバー１３の底部３６中央には、円形状の操作孔３７が形成されている。
【００２１】
また、図６に示すように、カバー１３において該カバー１３の前後方向に延びる４つの辺に該当する部位には、当該４つの辺に面取りを施したような形状をなすカバー側傾斜部３９がそれぞれ設けられている。各カバー側傾斜部３９は、カバー１３の前後方向に延びる４つの辺において、カバー１３の前後方向の中央部よりも同カバー１３の開口部側の領域に設けられている（図３参照）。そして、各カバー側傾斜部３９は、４つの側壁３１ａ〜３１ｄのうち、各カバー側傾斜部３９の両側にある２つの側壁に対してそれぞれ所定角度だけ傾斜しており、本実施形態では、所定角度は４５°に設定されている。更に、図４に示すように、各カバー側傾斜部３９におけるカバー１３の前後方向と直交する方向の幅は、前記側壁２１ｃの幅方向の両側に設けられた第１傾斜部２６ａにおけるボディ１２の前後方向と直交する方向の幅よりも若干狭く形成されている。
【００２２】
このようなカバー１３は、その開口部と前記ボディ１２の開口部とを対向させた状態で、各係合爪３４，３５の係合突起３４ａ，３５ａをボディ１２の係合孔２４，２５にそれぞれスナップフィット係合させることにより、ボディ１２の開口部に固定される（図５（ｂ）参照）。尚、ボディ１２にカバー１３が固定された状態においては、筐体１１の前後方向に延びる４つの辺に該当する部位に設けられたボディ側傾斜部２６及びカバー側傾斜部３９が筐体１１の前後方向に並んでいる。また、係合凹部３２，３３に係合凸部２２，２３がそれぞれ係合されており、これによりボディ１２に対するカバー１３のがたつきが抑制されている（図３参照）。更に、係合凸部２２，２３は、側壁２１ａ，２１ｂの上下方向の中央部から変位した位置に形成されるとともに、係合凹部３２，３３は、側壁３１ａ，３１ｂの上下方向の中央部から変位した位置に形成されているため、係合凹部３２，３３及び係合凸部２２，２３によって、ボディ１２に対するカバー１３の逆組みが防止されている。
【００２３】
図７に示すように、上記のような筐体１１内には、照明負荷としての白熱灯４１（図９参照）の調光を行う調光回路４２（図９参照）を構成する複数の回路素子を有する回路ブロック４３が収容されている。回路ブロック４３は、第１プリント基板５１及び第２プリント基板５２を備え、これら基板５１，５２に対し、前記複数の回路素子、即ち、可変抵抗器５３、トライアック５４、コイル５５、抵抗器５６、コンデンサ５７，５９及びダイアック５８等が実装されて構成されている。そして、筐体１１内において、第１プリント基板５１は、ボディ１２の短手方向（図７においては紙面垂直方向）の一方の側壁２１ａ（図３参照）と平行に配置されるとともに、第２プリント基板５２は、ボディ１２の底部２７と平行且つ第１プリント基板５１と垂直に配置されている。
【００２４】
第１プリント基板５１には、側方から見た形状がコ字状をなす放熱板６２が固定されている。放熱板６２は、長方形の板状をなす第１放熱片６２ａと、該第１放熱片６２ａから後方へ向かって延びる四角形の板状をなす第２放熱片６２ｂ及び第３放熱片６２ｃとが一体に形成されてなる。筐体１１の内部において、前記第１放熱片６２ａは、カバー１３の底部３６と平行に配置されている。そして、第２放熱片６２ｂ及び第３放熱片６２ｃは、第１放熱片６２ａにおける、調光器１の連接方向（図７においては紙面垂直方向）と直交し且つカバー１３の底部３６と平行な方向の両端部からそれぞれ後方に向かって該第１放熱片６２ａと垂直をなすように延びている。即ち、本実施形態においては、第２放熱片６２ｂ及び第３放熱片６２ｃは、第１放熱片６２ａの上下方向の両端部からそれぞれ後方に向かって延びている。また、筐体１１の内部において、第２放熱片６２ｂは、ボディ１２の上側の側壁２１ｃ及びカバー１３の上側の側壁３１ｃに沿ってこれら側壁２１ｃ，３１ｃと平行に配置されるとともに、第３放熱片６２ｃは、ボディ１２の下側の側壁２１ｄ及びカバー１３の下側の側壁３１ｄに沿ってこれら側壁２１ｄ，３１ｄと平行に配置されている。そして、放熱板６２は、該放熱板６２の短手方向（図７において紙面垂直方向）の一端が、第１プリント基板５１において電子部品が載置される第１配置面５１ａに当接されて固定されている。また、第１プリント基板５１の板厚方向から見て、第１放熱片６２ａが該第１プリント基板５１の前側の端部に沿うとともに、第２放熱片６２ｂが第１プリント基板５１の上側の端部に沿っている。
【００２５】
また、第１プリント基板５１の第１配置面５１ａの中央部には、可変抵抗器５３が配置されるとともに、該可変抵抗器５３の回動軸５３ａは、前記第１放熱片６２ａの中央部に設けられた貫通孔６２ｄから前方側へ突出している。更に、放熱板６２の第３放熱片６２ｃの下側の外側面（下面）６２ｆ上には、白熱灯４１（図９参照）の調光を行うべく該白熱灯４１への供給電力を制御するトライアック５４が配置固定されている。トライアック５４は、第１プリント基板５１に電気的に接続されるとともに、第３放熱片６２ｃに設けられた固定螺子孔６２ｇに対し同トライアック５４を介して固定螺子６３が螺合されることにより該第３放熱片６２ｃに固定されている。尚、図７への図示は省略したが、第１プリント基板５１の第１配置面５１ａ上には、抵抗器５６、コンデンサ５７及びダイアック５８等が実装されている。
【００２６】
一方、図７及び図８に示すように、前記第２プリント基板５２には、ボディ１２の底部２７と対向する第２配置面５２ａにおける上側の部位に、調光回路４２の雑音を除去する円環状のコイル５５が配置されるとともに、第２配置面５２ａにおけるコイル５５よりも下側となる部位にコンデンサ５９及び端子台６４が配置されている。尚、コイル５５は、その軸方向が第２プリント基板５２と直交するように第２プリント基板５２に実装されている。また、第２プリント基板５２には、Ｌ字状に屈曲された端子６５ａを有する温度ヒューズ６５が実装されている。この温度ヒューズ６５は、その端子６５ａがＬ字状に屈曲された形状をなすことにより、コイル５５の径方向の中央部を覆うとともに該コイル５５に当接して配置されている。詳述すると、温度ヒューズ６５は、コイル５５の軸方向の一端面（即ち第２配置面５２ａと逆側の端面であって、ボディ１２の底部２７と対向する側の端面）上で、該コイル５５の径方向の中央部となる位置に該コイル５５に密着するように配置されている。そして、一対の端子６５ａの先端は、第２プリント基板５２に電気的に接続されている。また、前記端子台６４は、第２プリント基板５２にそれぞれ電気的に接続された一対の接続端子６６，６７を保持している。図５（ａ）及び図５（ｂ）に示すように、各接続端子６６，６７には、前記電線挿入孔２８から筐体１１の内部へそれぞれ挿入される電線６８の先端部が、前記螺子挿入孔２９から挿通された螺子６９によって各接続端子６６，６７に押圧されることにより各電線６８がそれぞれ電気的に接続される。
【００２７】
前記調光回路４２について説明すると、図９に示すように、一対の接続端子６６，６７間に、可変抵抗器５３内のスイッチ５３ｂを介して、トライアック５４及びコイル５５が直列に接続されるとともに、トライアック５４と並列に、直列に接続された抵抗器５６、可変抵抗器５３及びコンデンサ５７が接続されている。また、可変抵抗器５３とコンデンサ５７との接続点と、トライアック５４のゲートとの間にダイアック５８が接続されるとともに、接続端子６６，６７間には、前記スイッチ５３ｂを介してコンデンサ５９が接続されている。そして、一対の接続端子６６，６７間には、前記電線６８（図５（ａ）参照）を介して、白熱灯４１と電源４４との直列回路が接続される。
【００２８】
図７に示すように、前記第１放熱片６２ａに設けられた貫通孔６２ｄから前方側へ突出した可変抵抗器５３の回動軸５３ａの先端部には、有底円筒状の操作つまみ７１が一体回転可能に取着されている。図３に示すように、この操作つまみ７１は、その直径が前記カバー１３に設けられた操作孔３７の内径よりも小さく形成されるとともに、該操作つまみ７１の開口部には、径方向外側に向かって延設されその外径が操作孔３７の内径よりも大きい鍔部７１ａが一体に形成されている。筐体１１内に収容された可変抵抗器５３の回動軸５３ａに装着された操作つまみ７１は、前記操作孔３７から筐体１１の前方側に突出する（図４参照）。そして、当該操作つまみ７１を回動させることにより、回動軸５３ａが回転され、前記スイッチ５３ｂ（図９参照）の開閉がなされるとともに、回動軸５３ａの回動量（操作量）に応じて可変抵抗器５３の抵抗値が変化される。
【００２９】
上記のように構成された３つの調光器１は、図２に示すように、調光器１の幅方向（短手方向）に連設された状態で前記取付枠２に固定されるとともに、各調光器１をカバー１３の底部３６側から見た場合における各調光器１の長手方向が上下方向と一致するように取付枠２を介して壁４に配設される。尚、各調光器１（筐体１１）は、第２放熱片６２ｂが上側、且つ第３放熱片６２ｃが下側となるように配設されるとともに、調光器１が壁４に配設された状態においては、筐体１１の前面、即ちカバー１３の底部３６が壁４の外部に露出する。
【００３０】
また、各調光器１においては、操作つまみ７１が回動されることにより回動軸５３ａが回動されて可変抵抗器５３内のスイッチ５３ｂが閉成されると、回動軸５３ａの回動量に応じて可変抵抗器５３の抵抗値が調整され、この抵抗値の変化に応じてコンデンサ５７の充電時間が調整される。そして、ダイアック５８を介してトライアック５４の導通が位相制御され、白熱灯４１に通電される電力量が制御されて白熱灯４１は調光制御される。
【００３１】
また、白熱灯４１の調光制御中に、トライアック５４が発熱すると、該トライアック５４にて発生された熱は、放熱板６２に伝達され同放熱板６２から放熱される。この時、放熱板６２は、筐体１１内において、筐体１１の前面、上面及び下面（即ちカバー１３の底部３６、ボディ１２の上側の側壁２１ｃ及び下側の側壁２１ｄ）に沿って配置されているため、側方に配置された調光器１によって放熱板６２からの放熱が妨げられることが抑制される。更に、白熱灯４１の調光制御中に、コイル５５が異常発熱して所定の温度に達すると、コイル５５における異常温度を温度ヒューズ６５が検知して断線し、調光回路４２への給電を停止させる。
【００３２】
上記したように、本実施形態によれば、以下の作用効果を有する。
（１）放熱板６２を構成する第２放熱片６２ｂ及び第３放熱片６２ｃは、第１放熱片６２ａにおける、調光器１の連接方向と直交し且つカバー１３の底部３６と平行な方向の両端部からそれぞれ後方に向かって延びている。そのため、調光器１が複数連接された場合において、第２放熱片６２ｂ及び第３放熱片６２ｃは、筐体１１における連接方向の両側の側壁（即ちボディ１２の側壁２１ａ，２１ｂ及びカバー１３の側壁３１ａ，３１ｂ）に沿って配置されるのではなく、筐体１１における上下方向の両側の側壁（即ちボディ１２の側壁２１ｃ，２１ｄ及びカバー１３の側壁３１ｃ，３１ｄ）に沿って配置される。従って、隣り合う調光器１によって、第２放熱片６２ｂ及び第３放熱片６２ｃからの放熱が妨げられることが抑制される。また、放熱板６２は、カバー１３の底部３６と平行に配置される第１放熱片６２ａと、該第１放熱片６２ａから後方へ向かって延びる第２放熱片６２ｂ及び第３放熱片６２ｃとから構成されているため、第１放熱片６２ａは、筐体１１の前面（即ちカバー１３の底部３６）により近い位置に配置される。更に、筐体１１の前面、即ち調光器１の前面は、調光器１が配設された壁４の外部に露出される。従って、トライアック５４等の回路素子にて発生された熱を第１放熱片６２ａから壁４の外部に効率よく放熱することができる。これらのことから、調光器１が連接された場合であっても効果的に放熱することができる。
【００３３】
（２）調光器１は、第２放熱片６２ｂが上側、且つ第３放熱片６２ｃが下側となるように配置されるとともに、動作時に発熱するトライアック５４は、下方に配置される第３放熱片６２ｃの外側面６２ｆに配置固定されている。一般的に、トライアック５４にて発生された熱は、自然対流により上方へ伝達される。従って、トライアック５４にて発生された熱は、該トライアック５４が固定された第３放熱片６２ｃから放熱されるとともに、第３放熱片６２ｃよりも上方に配置された第１放熱片６２ａ及び第２放熱片６２ｂからも放熱される。よって、放熱板６２からより効果的に放熱することができる。
【００３４】
（３）トライアック５４は、第３放熱片６２ｃの下側の外側面６２ｆ上に配置固定されるため、トライアック５４にて生じた熱が放熱板６２の内側に籠ることが抑制されるとともに、該トライアック５４を、放熱板６２に対して該放熱板６２の外側から容易に螺子止めすることができる。また、一般的に、トライアック５４が第３放熱片６２ｃの上側の面に配置固定される場合には、第３放熱片の下側から該第３放熱片に挿通される螺子の他に、第３放熱片６２ｃの上側でトライアック５４を介して同螺子が螺合するナット等の部品が別途必要となる。しかしながら、本実施形態では、トライアック５４は第３放熱片６２ｃの下側の面である外側面６２ｆ上に配置されるため、第３放熱片６２ｃに形成された固定螺子孔６２ｇにトライアック５４を介して固定螺子６３を螺合するだけで、同トライアック５４を第３放熱片に固定することができるため、部品点数の低減を図ることができる。
【００３５】
（４）ボディ１２における前後方向に延びる４つの辺に該当する部位にボディ側傾斜部２６がそれぞれ設けられることにより、調光器１が連接された場合に隣り合う調光器１の筐体１１同士が互いに当接する面積が小さくなる。従って、隣り合う調光器１において一方の調光器１が他方の調光器１に熱影響を及ぼすことを抑制することができる。また、ボディ１２にボディ側傾斜部２６が設けられることにより、筐体１１の表面において、隣り合う調光器１の筐体１１と当接しない部位の面積が大きくなるため、筐体１１の外部の空気に直接触れる面積が大きくなり、更に効果的に放熱することができる。また、一般的に、調光器１を壁に配設すべく壁面を掘削して収容穴５を形成する場合、該収容穴５を完全な直方体状とすることが困難である。従って、本実施形態の調光器１のように、ボディ１２の４つの辺にボディ側傾斜部２６が設けられることにより、収容穴５の形状が完全な直方体状でない場合であっても、調光器１の後部を容易に収容穴５の内部に収容することができる。更に、ボディ１２がボディ側傾斜部２６を備えることにより、調光器１の接続端子６６，６７に接続される電線６８が、収容穴５の内部でボディ１２の前後方向に延びる辺によって急激に屈曲されることが抑制されるとともに、ボディ側傾斜部２６と収容穴５の内周面との間に空間的な余裕が形成されるため、電線６８の取り回しを容易に行うことができる。
【００３６】
（５）コイル５５の異常温度を検出して温度ヒューズ６５が断線するため、調光器１がコイル５５の異常温度よりも高温となることが防止される。また、温度ヒューズ６５の端子６５ａがＬ字状に屈曲された形状をなすため、温度ヒューズ６５をコイル５５の径方向の中央部に密着させて配置することができる。そして、一般的に、コイル５５は、径方向の中央部が高温となりやすいため、コイル５５の異常温度の検出精度を向上させることができる。
【００３７】
（６）カバー１３における前後方向に延びる４つの辺に該当する部位にカバー側傾斜部３９がそれぞれ設けられることにより、調光器１が連接された場合に隣り合う調光器１の筐体１１同士が互いに当接する面積がより小さくなる。従って、隣り合う調光器１において一方の調光器１が他方の調光器１に熱影響を及ぼすことをより抑制することができる。また、カバー１３にカバー側傾斜部３９が設けられることにより、筐体１１の表面において、隣り合う調光器１の筐体１１と当接しない部位の面積がより大きくなるため、筐体１１の外部の空気に直接触れる面積がより大きくなり、一層効果的に放熱することができる。
【００３８】
尚、本発明の実施形態は、以下のように変更してもよい。
・上記実施形態では、温度ヒューズ６５の端子６５ａは、Ｌ字状に屈曲されている。しかしながら、端子６５ａは、必ずしもＬ字状に屈曲されなくてもよい。端子６５ａは、直線状や曲線状等をなすものであってもよい。
【００３９】
・上記実施形態では、ボディ側傾斜部２６は、第１傾斜部２６ａと第２傾斜部２６ｂとから構成されているが、第１傾斜部２６ａ若しくは第２傾斜部２６ｂのみから構成されてもよい。また、上記実施形態では、各ボディ側傾斜部２６は、４つの側壁２１ａ〜２１ｄのうち、各ボディ側傾斜部２６の両側にある２つの側壁に対してそれぞれ４５°だけ傾斜しているが、各ボディ側傾斜部２６の側壁２１ａ〜２１ｄに対する傾斜角度は適宜変更してもよい。
【００４０】
・ボディ１２は、ボディ側傾斜部２６を備えない構成であってもよい。
・上記実施形態では、各カバー側傾斜部３９は、４つの側壁３１ａ〜３１ｄのうち、各カバー側傾斜部３９の両側にある２つの側壁に対してそれぞれ４５°だけ傾斜しているが、各カバー側傾斜部３９の側壁３１ａ〜３１ｄに対する傾斜角度は適宜変更してもよい。
【００４１】
・カバー１３は、カバー側傾斜部３９を備えない構成であってもよい。
・上記実施形態では、トライアック５４は、第３放熱片６２ｃの外側面６２ｆ上に配置固定されている。しかしながら、トライアック５４は、第３放熱片６２ｃの内側面（上側の面）に配置固定されてもよい。また、トライアック５４は、第１放熱片６２ａ及び第２放熱片６２ｂの何れか一方に固定されてもよい。
【００４２】
・上記実施形態では、トライアック５４は、第３放熱片６２ｃに形成された固定螺子孔６２ｇに該トライアック５４を介して固定螺子６３を螺合させることにより、該第３放熱片６２ｃに固定されている。しかしながら、トライアック５４を第３放熱片６２ｃの外側面６２ｆ上に配置固定する場合には、タッピングねじにてトライアック５４を第３放熱片６２ｃに固定してもよい。このようにすると、トライアック５４を放熱板６２へ固定するためにタッピングねじ以外の部品を別途用意する必要が無いため、部品点数の低減を図ることができるとともに、トライアック５４の放熱板６２への固定を更に容易に行うことができる。
【００４３】
・上記実施形態では、調光器１は、その幅方向が左右方向と一致するように配置されて使用される。しかしながら、調光器１は、その幅方向が上下方向と一致するように配置されて使用されるものであってもよい。この場合、調光器１の連接方向は、上下方向と一致する。
【００４４】
・上記実施形態では、取付枠２に対し、３個の調光器１が固定されている。取付枠２には、最大３個まで調光器１を固定することが可能であるが、２個若しくは１個の調光器を取付枠２に固定して使用してもよい。
【００４５】
・上記実施形態では、２本の電線が接続される調光器１を例に説明したが、３路配線用の調光器に本発明を適用してもよい。
【図面の簡単な説明】
【００４６】
【図１】壁に配設された調光器の正面図。
【図２】取付枠に連設固定された調光器の背面図。
【図３】調光器の分解斜視図。
【図４】調光器の斜視図。
【図５】（ａ）は調光器の背面図、（ｂ）は調光器の底面図。
【図６】カバーの背面図。
【図７】調光器の断面図。
【図８】回路ブロックの斜視図。
【図９】調光器の回路図。
【符号の説明】
【００４７】
４ａ…壁面、５…収容穴、１１…筐体、１２…ボディ、１３…カバー、２１ａ〜２１ｄ…側壁、２６…傾斜部としてのボディ側傾斜部、３６…筐体の前面としての底部、４１…照明負荷としての白熱灯、４２…調光回路、５２…プリント基板としての第２プリント基板、５３…回路素子としての可変抵抗器、５４…回路素子としてのトライアック、５５…回路素子としてのコイル、５６…回路素子としての抵抗器、５７，５９…回路素子としてのコンデンサ、５８…回路素子としてのダイアック、６２…放熱板、６２ａ…第１放熱片、６２ｂ…第２放熱片、６２ｃ…第３放熱片、６２ｆ…第３放熱片の下面としての外側面、６５…温度ヒューズ、６５ａ…端子。
【図１】
0005015683.tif 000002
【図２】
0005015683.tif 000003
【図３】
0005015683.tif 000004
【図４】
0005015683.tif 000005
【図５】
0005015683.tif 000006
【図６】
0005015683.tif 000007
【図７】
0005015683.tif 000008
【図８】
0005015683.tif 000009
【図９】
0005015683.tif 000010